(57)【要約】【課題】硝酸ミコナゾール、リドカイン、イソプロピルメチルフェノール、ｌ−メントール及びｄｌ−カンフルを一分析系で迅速かつ簡便に定性・定量分析する方法を提供することである。【解決手段】液相がジメチルポリシロキサン、フェニルメチルポリシロキサン、又はジフェニルジメチルポリシロキサンである分離カラムを使用して、ガスクロマトグラフ法により分析する。【選択図】なし【特許請求の範囲】
【請求項１】
硝酸ミコナゾール、リドカイン及びイソプロピルメチルフェノールよりなる群から選択される少なくとも１種の成分をガスクロマトグラフ法により分析する方法であって、液相がジメチルポリシロキサン、フェニルメチルポリシロキサン、又はジフェニルジメチルポリシロキサンである分離カラムを使用することを特徴とする、上記成分の分析方法。
【請求項２】
硝酸ミコナゾール、リドカイン、イソプロピルメチルフェノール、ｌ−メントール及びｄｌ−カンフルよりなる群から選択される少なくとも２種の成分をガスクロマトグラフ法により分析する方法であって、液相がジメチルポリシロキサン、フェニルメチルポリシロキサン、又はジフェニルジメチルポリシロキサンである分離カラムを使用することを特徴とする、上記成分の分析方法。
【請求項３】
分析対象成分が、硝酸ミコナゾール、リドカイン、イソプロピルメチルフェノール、ｌ−メントール及びｄｌ−カンフルである、請求項２に記載の分析方法。
【発明の詳細な説明】
【０００１】
【発明の属する技術分野】
本発明は、硝酸ミコナゾール、リドカイン、イソプロピルメチルフェノール、ｌ−メントール及びｄｌ−カンフルの分析方法に関する。より詳細には、ガスクロマトグラフ法により上記成分を一分析系で迅速かつ簡便に分析する方法に関する。
【０００２】
【従来の技術】
鎮痒剤や水虫治療剤等の医薬品組成物及び医薬部外品組成物において、配合される代表的な薬効成分としては、硝酸ミコナゾール（抗真菌成分）、リドカイン（局所麻酔成分）、イソプロピルメチルフェノール（抗菌・防腐成分）、ｌ−メントール（鎮痒・清涼化成分）、並びにｄｌ−カンフル（鎮痒・鎮痛・消炎成分）等がある。故に、これらの成分（硝酸ミコナゾール、リドカイン、イソプロピルメチルフェノール、ｌ−メントール及びｄｌ−カンフル）を迅速で簡便な方法で定量分析することは、上記製品の薬効管理上、また品質管理上、有用である。
【０００３】
従来、上記成分の内、硝酸ミコナゾール、リドカイン及びイソプロピルメチルフェノールの分析は、高速液体クロマトグラフ法により各々異なる測定条件の下で行われている（例えば、特許文献１及び非特許文献１参照。）。また、上記成分の内、ｌ−メントール及びｄｌ−カンフルの分析は、ガスクロマトグラフ法により行われている（例えば、非特許文献２参照。）。
【０００４】
このように、従来の方法で上記成分を分析するには、各成分の分析方法が相違しているため、各成分に応じた方法で成分毎に別個独立して分析する必要があった。故に、従来の方法では、上記成分の分析に長時間を要し、しかも多大な分析コストをも要するという問題点があった。このような従来技術を背景として、上記成分を一分析系で迅速かつ簡便に定量分析する技術の開発が望まれていた。
【０００５】
【特許文献１】
特開昭６２−１７６５５号公報
【０００６】
【非特許文献１】
「一般用医薬品の試験法  下巻」、株式会社薬業時報社、平成９年１２月１０日、ｐ．２５１
【０００７】
【非特許文献２】
「ガスクロマトグラフ応用データ集」、株式会社島津製作所、１９９７年１２月、ｐ．６０
【０００８】
【発明が解決しようとする課題】
そこで本発明の目的は、上記のような従来の問題を解決することである。より詳細には、本発明は、硝酸ミコナゾール、リドカイン、イソプロピルメチルフェノール、ｌ−メントール及びｄｌ−カンフルを迅速かつ簡便に定性・定量分析する方法を提供することを目的とするものである。
【０００９】
【課題を解決するための手段】
本発明者らは、上記課題を解決すべく鋭意検討していたところ、ガスクロマトグラフ法による分析において、液相がジメチルポリシロキサン、フェニルメチルポリシロキサン、又はジフェニルジメチルポリシロキサンである分離カラムを使用することによって、硝酸ミコナゾール、リドカイン、イソプロピルメチルフェノール、ｌ−メントール及びｄｌ−カンフルを一分析系で迅速かつ簡便に定性及び定量分析できることを見出した。本発明はかかる知見に基づいて完成されたものである。
【００１０】
即ち、本発明は、下記に掲げる分析方法である：
項１．  硝酸ミコナゾール、リドカイン及びイソプロピルメチルフェノールよりなる群から選択される少なくとも１種の成分をガスクロマトグラフ法により分析する方法であって、液相がジメチルポリシロキサン、フェニルメチルポリシロキサン、又はジフェニルジメチルポリシロキサンである分離カラムを使用することを特徴とする、上記成分の分析方法。
項２．  硝酸ミコナゾール、リドカイン、イソプロピルメチルフェノール、ｌ−メントール及びｄｌ−カンフルよりなる群から選択される少なくとも２種の成分をガスクロマトグラフ法により分析する方法であって、液相がジメチルポリシロキサン、フェニルメチルポリシロキサン、又はジフェニルジメチルポリシロキサンである分離カラムを使用することを特徴とする、上記成分の分析方法。
項３．  分析対象成分が、硝酸ミコナゾール、リドカイン、イソプロピルメチルフェノール、ｌ−メントール及びｄｌ−カンフルである、項２に記載の分析方法。
【００１１】
尚、本発明でいう「一分析系で分析する」とは、同一分析条件下で分析することを意味するものである。
【００１２】
【発明の実施の形態】
（Ｉ）硝酸ミコナゾール、リドカイン、イソプロピルメチルフェノール、ｌ−メントール及びｄｌ−カンフルの分析
本発明の分析方法は、硝酸ミコナゾール、リドカイン及びイソプロピルメチルフェノールを一分析系で定性・定量分析することを可能とする。故に、本発明の分析方法は、硝酸ミコナゾール、リドカイン及びイソプロピルメチルフェノールよりなる群から選択される少なくとも１種の成分を分析対象成分とすることができる。
【００１３】
更に、本発明の分析方法は、硝酸ミコナゾール、リドカイン、イソプロピルメチルフェノール、ｌ−メントール及びｄｌ−カンフルを一分析系で定性・定量分析することを可能とする。故に、本発明の分析方法は、硝酸ミコナゾール、リドカイン、イソプロピルメチルフェノール、ｌ−メントール及びｄｌ−カンフルよりなる群から選択される少なくとも２種の成分を分析対象成分とすることができる。特に、上記５種の成分を一分析系で迅速かつ簡便に分析できるという本発明の効果に鑑みれば、分析対象成分として、好ましくは上記５種の成分の中から少なくとも３種の成分、更に好ましくは少なくとも４種の成分、より好ましくは５種全ての成分を挙げることができる。
【００１４】
具体的には、分析対象となる上記５種の成分の内の２種の成分の組み合わせとしては、硝酸ミコナゾール及びリドカイン；硝酸ミコナゾール及びイソプロピルメチルフェノール；硝酸ミコナゾール及びｌ−メントール；硝酸ミコナゾール及びｄｌ−カンフル；リドカイン及びイソプロピルメチルフェノール；リドカイン及びｌ−メントール；リドカイン及びｄｌ−カンフル；イソプロピルメチルフェノール及びｌ−メントール；イソプロピルメチルフェノール及びｄｌ−カンフル；並びにｌ−メントール及びｄｌ−カンフルの組み合わせを挙げることができる。また、分析対象となる上記５種の成分の内の３種の成分の組み合わせとしては、硝酸ミコナゾール、リドカイン及びイソプロピルメチルフェノール；硝酸ミコナゾール、リドカイン及びｌ−メントール；硝酸ミコナゾール、イソプロピルメチルフェノール及びｌ−メントール；リドカイン、イソプロピルメチルフェノール及びｌ−メントール；硝酸ミコナゾール、リドカイン及びｄｌ−カンフル；硝酸ミコナゾール、イソプロピルメチルフェノール及びｄｌ−カンフル；リドカイン、イソプロピルメチルフェノール及びｄｌ−カンフル；硝酸ミコナゾール、ｌ−メントール及びｄｌ−カンフル；リドカイン、ｌ−メントール及びｄｌ−カンフル；並びにイソプロピルメチルフェノール、ｌ−メントール及びｄｌ−カンフルの組み合わせを挙げることができる。更に、分析対象となる上記５種の成分の内の４種の成分の組み合わせとしては、硝酸ミコナゾール、リドカイン、イソプロピルメチルフェノール及びｌ−メントール；硝酸ミコナゾール、リドカイン、イソプロピルメチルフェノール及びｄｌ−カンフル；硝酸ミコナゾール、リドカイン、ｌ−メントール及びｄｌ−カンフル；硝酸ミコナゾール、イソプロピルメチルフェノール、ｌ−メントール及びｄｌ−カンフル；並びにリドカイン、イソプロピルメチルフェノール、ｌ−メントール及びｄｌ−カンフルの組み合わせを挙げることができる。
【００１５】
本発明の分析方法には、上記成分を分析対象とするものであれば、医薬品組成物、医薬部外品組成物、香粧品組成物、又は食品組成物等の別を問わず、いずれも被分析試料として用いることができる。本発明の分析方法の実施に際して、該被分析試料は、ガスクロマトグラフ法による分析に適用可能な溶液（以下、これを被分析溶液という。）に調製される。被分析試料が液体の場合には、該分析試料をそのまま、或いはメタノール、エタノール、イソプロピルアルコール、アセトン等の有機溶媒若しくは該有機溶媒を含有する水溶液で適宜希釈したものを被分析溶液とすることができる。一方、被分析試料が液体以外の場合には、該分析試料を前記有機溶媒若しくは前記有機溶媒を含有する水溶液に溶解して、固体乃至沈殿成分を除去したものを被分析溶液とすることができる。尚、被分析試料がエアゾール製剤の場合には、被分析溶液の調製に際して、ガス抜き等の前処理を適宜行うことができる。また、内標準法により定量分析する場合には、被分析溶液中にｐ−アミノ安息香酸メチル等の内標準物質を適当量添加することもできる。かかる被分析溶液を調製する方法については、常法に従って行うことができる。
【００１６】
かくして調製された被分析溶液をガスクロマトグラフ法による分析に供することができる。本発明の分析方法において使用する分離カラムは、液相がジメチルポリシロキサン、フェニルメチルポリシロキサン、又はジフェニルジメチルポリシロキサンからなるものである。ジメチルポリシロキサンとは、ジメチルシロキサンを構成単位とするポリマーである。また、フェニルメチルポリシロキサンとは、フェニルメチルシロキサンを構成単位とするポリマー（５０％フェニル−５０％メチルポリシロキサン）である。ジフェニルジメチルポリシロキサンとは、ジフェニルシロキサン及びジメチルシロキサンを構成単位とするコポリマーである。ここで、ジフェニルジメチルポリシロキサンにおけるジフェニルシロキサンとジメチルシロキサンとの構成比率は特に制限されるものではないが、一例として、ジフェニルシロキサン：ジメチルシロキサンの比率（モル比）が１：９９〜７０：３０、好ましくは１：９９〜５０：５０、更に好ましくは５：９５〜３０：７０の範囲にあるものを挙げることができる。上記液相成分の中で、分析対象成分の分離・定量性、並びに分析時間の短縮の観点からは、ジメチルポリシロキサンを好適に挙げることができる。
【００１７】
また、本発明の分析方法において、分離カラムについては、特に制限されず、キャピラリーカラム（一般に、内径：１ｍｍ以下）又はパックドカラム（一般に、内径：２〜４ｍｍ）のいずれを使用することもできる。中でも、キャピラリーカラムは、その内径が細く、カラム内の分析対象成分の拡散抑制やカラム内温度の均一保持が可能となるため、高分離・定量性や分析時間の短縮化の観点から好適な分離カラムである。キャピラリーカラムは、その構造の違いによって、ＷＣＯＴ（Ｗａｌｌ  ｃｏａｔｅｄ  ｏｐｅｎ  ｔｕｂｕｌａｒ）カラム、ＳＣＯＴ（ＰＬＯＴ）［Ｓｕｐｐｏｒｔ  ｃｏａｔｅｄ  ｏｐｅｎ  ｔｕｂｌａｒ（Ｐｏｒｏｕｓ  ｌａｙｅｒ  ｏｐｅｎ  ｔｕｂｕｌａｒ）］カラム、パックドキャピラリーカラム、ミクロ充填カラムに分類されるが（機器分析のてびき（２）、第１４−１６頁、株式会社化学同人、１９８８年６月２０日）、本発明には、いずれのキャピラリーカラムを使用してもよい。好ましくはＷＣＯＴカラムである。
【００１８】
分離カラムとしてキャピラリーカラム（ＷＣＯＴカラム）を使用する場合、一般に、カラムの内径が小さい程及びカラムの長さが長い程、液相膜厚を薄くできる関係にある。また、キャピラリーカラム（ＷＣＯＴカラム）の液相膜厚が厚い程及びカラムの長さが長い程、より高濃度の分析対象成分を分析でき、分析対象成分の分離能が高くなる傾向があるが、分析時間が長くなる傾向もみられる。これらを総合的に判断して、使用するキャピラリーカラムの内径、液相膜厚及び長さを適宜設定すればよい。本発明に使用できるキャピラリーカラム（ＷＣＯＴカラム）の一例として、キャピラリーカラムの内径が０．０５〜０．８ｍｍ、液相膜厚が０．０５〜５μｍ、及び長さが１０〜１００ｍの範囲にあるものを挙げることができる。好ましくは、キャピラリーカラムの内径が０．３〜０．６ｍｍ、液相膜厚が０．２〜３μｍ、及び長さが２０〜４０ｍの範囲内にあるワイドボアカラム（ＷＣＯＴカラム）を挙げることができる。このようなキャピラリーカラム（ＷＣＯＴカラム）として、簡便には、市販されているものを使用することができる。このような市販されているキャピラリーカラム（ＷＣＯＴカラム）としては、商品名「ＤＢ−１」、「ＤＢ−１ｍｓ」、「ＤＢ−１ｈｔ」（以上、Ｊ＆Ｗ  サイエンティフィック社製）、「Ｒｔｘ／ＭＸＴ−１」（レステック社製）、「ＺＢ−１」（フェノメネックス社製）、「ＢＰ１」、「ＳｏｌＧｅｌ−１」、「ＢＰＸ１  Ｓｉｍ  Ｄｉｓｔ」、「ＢＰ１−ＰＯＮＡ」（以上、エス・ジー・イージャパン社製）、「ＮＢ−１」、「ＴＣ−１」（以上、ジーエルサイエンス社製）、及び「ＨｉＣａｐ−ＣＢＰ１」（島津製作所社製）等の液相がジメチルポリシロキサンであるキャピラリーカラム；商品名「Ｒｔｘ／ＭＸＴ−５０」（レステック社製）等の液相がフェニルメチルポリシロキサンであるキャピラリーカラム；商品名「ＤＢ−５」、「ＤＢ−５ｍｓ」、「ＤＢ−５ｈｔ」、「ＤＢ５．６２５」（以上、Ｊ＆Ｗ  サイエンティフィック社製）、「Ｒｔｘ／ＭＸＴ／ＸＴＩ−５／Ｒｔｘ−５ＭＳ」（レステック社製）、「ＺＢ−５」（フェノメネックス社製）、「ＢＰ５」、「ＢＰＸ５」（以上、エス・ジー・イージャパン社製）、「ＮＢ−５」、「ＴＣ−５」（以上、ジーエルサイエンス社製）、及び「ＨｉＣａｐ−ＣＢＰ５」（島津製作所社製）等の液相が５％ジフェニル−９５％ジメチルポリシロキサンであるキャピラリーカラム；商品名「Ｒｔｘ／ＭＸＴ−２０」（レステック社製）等のキャピラリーカラム（液相：２０％ジフェニル−８０％ジメチルポリシロキサン）；商品名「Ｒｔｘ／ＭＸＴ−３５」（レステック社製）、「ＺＢ−３５」（フェノメネックス社製）、「ＢＰＸ３５」（エス・ジー・イージャパン社製）、及び「ＴＣ−３５」（ジーエルサイエンス社製）等の液相が３５％ジフェニル−６５％ジメチルポリシロキサンであるキャピラリーカラム；商品名「ＤＢ−１７」、「ＤＢ−１７ｍｓ」、「ＤＢ−１７ｈｔ」（以上、Ｊ＆Ｗ  サイエンティフィック社製）、「ＺＢ−５０」（フェノメネックス社製）、「ＢＰＸ５０」（エス・ジー・イージャパン社製）、「ＴＣ−１７」（ジーエルサイエンス社製）等のキャピラリーカラム（液相：５０％ジフェニル���５０％ジメチルポリシロキサン）；並びに商品名「Ｒｔｘ／ＭＸＴ−６５ＴＧ」（レステック社製）等の液相が６５％ジフェニル−３５％ジメチルポリシロキサンであるキャピラリーカラム等がある。
【００１９】
また、分離カラムとしてパックドカラムを使用する場合、該パックドカラムの充填剤、製法等については制限されない。例えば、珪藻土、フッ素樹脂、水晶、ガラスビーズ等の担体に、常法に従って上記液相を含浸或いはコーティングすることによって調製した充填剤を充填したカラムを使用することができる。また、パックドカラムの内径及び長さについても特に制限されず、カラムの分離特性・分析時間等に応じて適宜設定すればよい。
【００２０】
本発明の分析方法において、被分析溶液の注入方法としては、特に制限されず、注入する被分析溶液の量、使用するカラムの特性等に応じて、ダイレクト法、スプリット法、スプリットレス法、クールオンカラム法等の公知の注入方法を適宜選択して使用することができる。例えば、分離カラムとしてワイドボアキャピラリーカラムを使用する場合であればダイレクト法を好適に挙げることができる。
【００２１】
被分析溶液を注入する量は、注入方法、使用する分離カラムの種類、検出器の感度特性等に応じて、適宜設定すればよい。一例として、分離カラムとしてキャピラリーカラムを使用する場合であれば、０．００５〜５μｌ程度、好ましくは０．１〜１μｌ程度を挙げることができる。
【００２２】
本発明の分析方法において、分離カラムの温度は、初期温度を０〜８５℃程度、好ましくは４０〜７５℃程度に設定しておき、被分析溶液注入後に昇温して、最終温度を３００〜３７０℃程度、好ましくは３００〜３３０℃程度となるように設定すればよい。初期温度が０℃よりも著しく低い場合、最終温度に昇温するのに時間を要し迅速な測定が困難となる傾向があり、また初期温度が８５℃よりも著しく高い場合には、ｄｌ−カンフルのピークがノイズと重なり、該成分の定量が困難となる傾向がある。一方、最終温度が３００℃より著しく低い場合、硝酸ミコナゾールが検出されにくくなる傾向があり、また最終温度が３７０℃よりも著しく高い場合、カラムの劣化を引き起こす傾向がある。昇温条件については、分析時間や使用する分離カラムの種類等に応じて適宜設定することができる。例えば、初期温度から最終温度まで一定の昇温速度で昇温することもでき、また昇温速度を二段階或いはそれ以上に変えて昇温することもできる。分析の迅速性及び分離性の観点からは、具体的には、昇温条件として、５〜２０℃／分程度で初期温度から１００〜１５０℃程度まで昇温した後、２０〜４０℃／分程度で最終温度まで昇温する条件、好ましくは８〜１５℃／分程度で初期温度から１００〜１４０℃程度まで昇温した後、２５〜３５℃／分程度で最終温度まで昇温する条件を例示することができる。
【００２３】
分離カラム内に通すキャリアーガスとしては、特に制限されず、例えばヘリウム、窒素、アルゴン等の不活性ガスを使用することができる。また、キャリアーガスの流速については、使用する分離カラムの種類等に応じて適宜設定することができる。一例として、キャピラリーカラム（ＷＣＯＴカラム）を使用する場合であれば１〜２０ｍｌ／分、好ましくは３〜１２ｍｌ／分となる流速、特にワイドボアカラムを使用する場合では２〜２０ｍｌ／分、好ましくは３〜１２ｍｌ／分となる流速を挙げることができる。
【００２４】
本発明の分析方法において、使用する検出器としては、前述する分析対象成分を検出可能であることを限度として、特に制限されない。具体的には、水素炎イオン化検出器、熱伝導度型検出器等を例示することができる。
【００２５】
また、本発明は、前記分析方法を実施するのに好適な分析用キットを提供する。本発明の分析用キットは、液相がジメチルポリシロキサン、フェニルメチルポリシロキサン、又はジフェニルジメチルポリシロキサンである分離カラムを含むことを特徴とするものである。ここで使用する分離カラムは、前述の通りである。当該分析用キットには、上記分離カラムに加えて、分析実施の便宜のために、分析対象成分の有無の判定や検量線の作成等に使用される該成分の標準溶液、内標準法による定量分析に使用されるｐ−アミノ安息香酸メチル等の内標準物質、被分析溶液の作成に要する各種試薬や器具、上記分離カラムの装着に必要なコネクター等の器具、分析手順書等が含まれていてもよい。
【００２６】
本発明の分析用キットには、下記態様の分析用キットが含まれる：
（１）  硝酸ミコナゾール、リドカイン及びイソプロピルメチルフェノールよりなる群から選択される少なくとも１種の成分をガスクロマトグラフ法により分析するための分析用キットであって、液相がジメチルポリシロキサン、フェニルメチルポリシロキサン、又はジフェニルジメチルポリシロキサンである分離カラムを含むことを特徴とする、分析用キット。
（２）  硝酸ミコナゾール、リドカイン、イソプロピルメチルフェノール、ｌ−メントール及びｄｌ−カンフルよりなる群から選択される少なくとも２種の成分をガスクロマトグラフ法により分析するための分析用キットであって、液相がジメチルポリシロキサン、フェニルメチルポリシロキサン、又はジフェニルジメチルポリシロキサンである分離カラムを含むことを特徴とする、分析用キット。
（３）  分析対象成分が、硝酸ミコナゾール、リドカイン、イソプロピルメチルフェノール、ｌ−メントール及びｄｌ−カンフルである、（１）に記載の分析用キット。
【００２７】
（ＩＩ）リドカイン、イソプロピルメチルフェノール、ｌ−メントール及びｄｌ−カンフルの分析
ガスクロマトグラフィー分析において、液相がポリエチレングリコールである分離カラムを使用することによって、リドカイン、イソプロピルメチルフェノール、ｌ−メントール及びｄｌ−カンフルを一分析系で、定量分析することが可能となる。
【００２８】
即ち、本発明は、更に、リドカイン、イソプロピルメチルフェノール、ｌ−メントール及びｄｌ−カンフルよりなる群から選択される少なくとも１種の成分をガスクロマトグラフィー法により分析する方法であって、液相がポリエチレングリコールである分離カラムを使用することを特徴とする上記成分の分析方法を提供する。
【００２９】
ここで分析対象となる成分は、リドカイン、イソプロピルメチルフェノール、ｌ−メントール及びｄｌ−カンフルの中の少なくとも１つの成分であればよいが、上記４成分を一分析系で迅速且つ簡便に分析できるという本発明の効果に鑑みれば、好ましくは上記４種の成分の中から少なくとも２種の成分、更に好ましくは少なくとも３種の成分、より好ましくは上記４種全ての成分を挙げることができる。
【００３０】
使用する分離カラムの種類は、液相がポリエチレングリコールである限り、特に制限されないが、好ましくはキャピラリーカラムである。このような液相がポリエチレングリコールであるキャピラリーカラムで市販されているものとしては、例えば、「ＤＢ−ＷＡＸ」（Ｊ＆Ｗ  サイエンティフィック社製）、「ＤＢ−ＷＡＸｅｔｒ」（Ｊ＆Ｗ  サイエンティフィック社製）、「Ｓｔａｂｉｌｗａｘ／ＭＸＴ−ＷＡＸ」（レステック社製）、「ＺＢ−ＷＡＸ」（フェノメネックス社製）、「ＢＰ２０」（エス・ジー・イージャパン社製）、「ＴＣ−ＷＡＸ」（ジーエルサイエンス社製）及び「ＨｉＣａｐ−ＣＢＰ２０」（島津製作所社製）等を挙げることができる。
【００３１】
なお、本発明の分析方法において、被分析溶液の調製方法、被分析溶液の注入方法、被分析溶液の注入量、キャリアガスの種類は、前述する（Ｉ）と同様である。また、分離カラムの温度等のその他の分析条件については、分析対象成分の分離特性等に応じて、適宜調整すればよい。
【００３２】
【実施例】
以下に実施例を挙げて本発明を説明する。本発明は下記実施例に限定されるものではない。
【００３３】
実施例１
硝酸ミコナゾール、リドカイン、イソプロピルメチルフェノール、ｌ−メントール又はｄｌ−カンフルの標準溶液を下記の方法に従って調製し、以下に記載するガスクロマトグラフの条件で分析を行った。
【００３４】
＜被分析溶液の作成＞
（１）硝酸ミコナゾール標準溶液
硝酸ミコナゾール（標準品、岩城製薬社製）、メタノール（和光純薬工業社製）及び内標準溶液（ｐ−アミノ安息香酸メチル（和光純薬工業社製）のメタノール溶液、０．００１ｇ／ｍｌ）を用いて、硝酸ミコナゾールを０．４、０．５、又は０．６ｇ／ｌ及び内標準（ｐ−アミノ安息香酸メチル）を０．５ｇ／ｌの割合で含有するメタノール溶液を調製して、標準溶液（被分析溶液）とした。
【００３５】
（２）リドカイン標準溶液
リドカイン（標準品、岩城製薬社製）、メタノール（和光純薬工業社製）及び内標準溶液（ｐ−アミノ安息香酸メチル（和光純薬工業社製）のメタノール溶液、０．００１ｇ／ｍｌ）を用いて、リドカインを１、１．２５、又は１．５ｇ／ｌ及び内標準（ｐ−アミノ安息香酸メチル）を０．５ｇ／ｌの割合で含有するメタノール溶液を調製して、標準溶液（被分析溶液）とした。
【００３６】
（３）イソプロピルメチルフェノール標準溶液
イソプロピルメチルフェノール（標準品、大阪化成社製）、メタノール（和光純薬工業社製）及び内標準溶液（ｐ−アミノ安息香酸メチル（和光純薬工業社製）のメタノール溶液、０．００１ｇ／ｍｌ）を用いて、イソプロピルメチルフェノールを０．１２、０．１５、又は０．１８ｇ／ｌ及び内標準（ｐ−アミノ安息香酸メチル）を０．５ｇ／ｌの割合で含有するメタノール溶液を調製して、標準溶液（被分析溶液）とした。
【００３７】
（４）ｌ−メントール標準溶液
ｌ−メントール（標準品、岩城製薬社製）、メタノール（和光純薬工業社製）及び内標準溶液（ｐ−アミノ安息香酸メチル（和光純薬工業社製）のメタノール溶液、０．００１ｇ／ｍｌ）を用いて、ｌ−メントールを０．４、０．５、又は０．６ｇ／ｌ及び内標準（ｐ−アミノ安息香酸メチル）を０．５ｇ／ｌの割合で含有するメタノール溶液を調製して、標準溶液（被分析溶液）とした。
【００３８】
（５）ｄｌ−カンフル標準溶液
ｄｌ−カンフル（標準品、エビス製薬社製）、メタノール（和光純薬工業社製）及び内標準溶液（ｐ−アミノ安息香酸メチル（和光純薬工業社製）のメタノール溶液、０．００１ｇ／ｍｌ）を用いて、ｄｌ−カンフルを０．２、０．２５、又は０．３ｇ／ｌ及び内標準（ｐ−アミノ安息香酸メチル）を０．５ｇ／ｌの割合で含有するメタノール溶液を調製して、標準溶液（被分析溶液）とした。
【００３９】
＜分析条件＞
ガスクロマトグラフ装置：ＧＣ−１７Ａ（島津製作所製）
分離カラム：ワイドボアキャピラリーカラム（ＤＢ−１、Ｊ＆Ｗ  ＳＣＩＥＮＴＩＦＩＣ社製）
（液相）１００％ジメチルポリシロキサン
（内径）０．５３ｍｍ
（長さ）３０ｍ
（液相膜厚）１．５μｍ
キャリアーガス：ヘリウムガス、１０ｍｌ／分
被分析溶液注入方法：ダイレクト法
被分析溶液注入量：０．５μｌ
カラム温度条件：初期温度７５℃として、試料注入後１０℃／分で１２０℃まで昇温した後、３０℃／分で最終温度３００℃まで昇温した。
検出器：水素炎イオン化検出器（島津製作所社製）
分析時間：１４分。
【００４０】
＜分析結果＞
上記各々の標準溶液を分析した結果、硝酸ミコナゾール（保持時間：約１１
．８分）、リドカイン（保持時間：約８．３分）、イソプロピルメチルフェノール（保持時間：約５．７分）、ｌ−メントール（保持時間：約４．３分）、及びｄｌ−カンフル（保持時間：約３．９分）のピークが検出された。なお、内標準として用いたｐ−アミノ安息香酸メチルのピークの保持時間は約６．５分であった。
【００４１】
また、図１〜５に示すように、各々の成分において、内標準のピーク面積（０．５ｇ／ｌ  ｐ−アミノ安息香酸メチルのピーク面積）に対する各々の成分の面積の比率は、その濃度に依存（比例）していることが確認された。
【００４２】
以上の結果から、本発明の分析方法によれば、硝酸ミコナゾール、リドカイン、イソプロピルメチルフェノール、ｌ−メントール及びｄｌ−カンフルを一分析系で迅速かつ簡便に定性及び定量分析できることが明らかとなった。
【００４３】
実施例２
上記実施例１で得られた検量線（図１−５）を利用して、硝酸ミコナゾール、リドカイン、イソプロピルメチルフェノール、ｌ−メントール及びｄｌ−カンフルを含有する水虫治療剤（エアゾールスプレー）を以下に記載するガスクロマトグラフの条件で定量分析（ｎ＝５）を行った。
【００４４】
＜被分析溶液の作成＞
含有成分既知水虫治療剤（エアゾールスプレー）（１重量％硝酸ミコナゾール、２．５重量％リドカイン、０．３重量％イソプロピルメチルフェノール、１重量％ｌ−メントール及び０．５重量％ｄｌ−カンフル含有）１２ｇが入っている缶に穴を開け、ガスを抜いた。ガス抜き完了後、ニッパーで缶の上部を切り開け、缶中の溶液を取り出し、これをメタノールで１２０ｍｌにメスアップした。斯くして得られた溶液１０ｍｌと内標準溶液（ｐ−アミノ安息香酸メチル（和光純薬工業社製）のメタノール溶液、０．００１ｇ／ｍｌ）１０ｍｌを混和して被分析溶液とした。
【００４５】
＜分析条件＞
ガスクロマトグラフ装置：ＧＣ−１７Ａ（島津製作所製）
分離カラム：ワイドボアキャピラリーカラム（ＤＢ−１、Ｊ＆Ｗ  ＳＣＩＥＮＴＩＦＩＣ社製）
（液相）１００％ジメチルポリシロキサン
（内径）０．５３ｍｍ
（長さ）３０ｍ
（液相膜厚）１．５μｍ
キャリアーガス：ヘリウムガス、１０ｍｌ／分
被分析溶液注入方法：ダイレクト法
被分析溶液注入量：０．５μｌ
カラム温度条件：初期温度７５℃として試料注入後３０℃／分で、最終温度を３００℃まで昇温した。
検出器：水素炎イオン化検出器（島津製作所社製）
分析時間：１４分。
【００４６】
＜分析結果＞
上記被分析溶液を分析して得られたガスクロマトグラフを図６示す。また、各成分のピーク面積に基づいて、上記実施例１で得られた検量線（図１−５）から被分析溶液中に含まれる各成分含量を求め、分析対象水虫治療薬中に含まれる各成分含量を算出した。その結果、該水虫治療薬中に各成分濃度は、硝酸ミコナゾール０．９９４重量％、リドカイン２．４９３重量％、イソプロピルメチルフェノール０．２９５重量％、ｌ−メントール０．９９３重量％及びｄｌ−カンフル０．４８５重量％であることが算出された。この結果は、本分析に用いた水虫治療薬中に含まれる上記成分の既知含有量とよく一致しており、本分析方法は上記成分を高精度で定量分析できることが明らかとなった。
【００４７】
以上の結果から、本発明の分析方法によれば、硝酸ミコナゾール、リドカイン、イソプロピルメチルフェノール、ｌ−メントール及びｄｌ−カンフルを含有する製品中の該成分を一分析系で迅速かつ簡便に、しかも高い精度で定量分析できることが確認された。
【００４８】
【発明の効果】
本発明の分析方法によれば、硝酸ミコナゾール、リドカイン、イソプロピルメチルフェノール、ｌ−メントール及びｄｌ−カンフルを一分析系で高い精度で分析できる。故に、従来の方法に比して迅速かつ簡便な方法で上記成分を定性及び定量することが可能となり、併せて分析コストを低減するも可能となる。
【００４９】
更に、本発明の分析キットによれば、硝酸ミコナゾール、リドカイン、イソプロピルメチルフェノール、ｌ−メントール及びｄｌ−カンフルの定性・定量分析を一分析系で高精度で簡便に実施できるので、該成分の分析を簡便に実施する手段を提供することができる。
【図面の簡単な説明】
【図１】実施例１において、硝酸ミコナゾールの濃度と、内標準のピーク面積に対する該成分の面積の比率との関係を示す図である。
【図２】実施例１において、リドカインの濃度と、内標準のピーク面積に対する該成分の面積の比率との関係を示す図である。
【図３】実施例１において、イソプロピルメチルフェノールの濃度と、内標準のピーク面積に対する該成分の面積の比率との関係を示す図である。
【図４】実施例１において、ｌ−メントールの濃度と、内標準のピーク面積に対する該成分の面積の比率との関係を示す図である。
【図５】実施例１において、ｄｌ−カンフルの濃度と、内標準のピーク面積に対する該成分の面積の比率との関係を示す図である。
【図６】実施例２において、被分析溶液の分析で得られたガスクロマトグラフを示す。
【図１】
2004301775.tif 000002
【図２】
2004301775.tif 000003
【図３】
2004301775.tif 000004
【図４】
2004301775.tif 000005
【図５】
2004301775.tif 000006
【図６】
2004301775.tif 000007